(57)【要約】  半持続的に割当てられあるいはスケジュールされたリソースのための新規データ指示子のための値を決定するように構成された通信システムで使用可能な装置３１０。一実施態様では、装置３１０は、半持続的スケジューリングを示すセル無線ネットワーク仮識別子を受信するように構成されたプロセッサ３２０を含む。プロセッサ３２０は、半持続的スケジューリングに従う新規データ指示子フラグを伴うデータの受信を、もし新規データ指示子フラグの値が第１所定値に等しければ持続的初期送信として扱い、もし新規データ指示子フラグの値が第２所定値に等しければ半持続的スケジューリング・データの再送として扱うようにも構成される。【選択図】図４B
2011517886.tif 000002
【特許請求の範囲】
【請求項１】
半持続的スケジューリングを示すセル無線ネットワーク仮識別子を受信し、
前記半持続的スケジューリングに従う新規データ指示子フラグを伴うデータの受信を以下の一つとして扱う、すなわち：
もし前記新規データ指示子フラグの値が第１所定値に等しければ持続的初期送信として扱い、
もし前記新規データ指示子フラグの前記値が第２所定値に等しければ半持続的スケジューリング・データの再送として扱う
ように構成されているプロセッサを含む装置。
【請求項２】
前記新規データ指示子フラグが前記第１所定値に等しいときに前記半持続的スケジューリングと関連付けられたパラメータを記憶するように構成されているメモリをさらに含む、請求項１に記載の装置。
【請求項３】
前記第１所定値は０であって前記第２所定値は１である、請求項１〜２のうちのいずれか一項に記載の装置。
【請求項４】
前記プロセッサは、
非半持続的スケジューリングを示す他のセル無線ネットワーク仮識別子を受信し、
前記非半持続的スケジューリングに従う他の新規データ指示子フラグを伴う他の受信データを以下の一つとして扱う、すなわち：
もし前記他の新規データ指示子フラグの値が以前に受信された新規データ指示子フラグの値と異なれば新データとして扱い、
もし前記他の新規データ指示子フラグの前記値が前記以前に受信された新規データ指示子フラグの前記値に等しければ再送されたデータとして扱う
ように構成されている、請求項１に記載の装置。
【請求項５】
前記装置は、データが格納されているデータ・バッファをさらに含んでおり、前記プロセッサは、
もし前記新規データ指示子フラグの前記値が前記第１所定値に等しければ前記格納されているデータをフラッシュし、
もし前記新規データ指示子フラグの前記値が前記第２所定値に等しければ前記格納されているデータを半持続的スケジューリング・データの前記再送と組み合わせる
ように前記データ・バッファに命令するように構成されている、請求項１に記載の装置。
【請求項６】
前記プロセッサは、
ハイブリッド自動再送要求に従ってデータの受信失敗を示す否定応答信号を提供し、
もし前記新規データ指示子フラグの前記値が前記第２所定値に等しければ前記半持続的スケジューリングに従う前記新規データ指示子フラグを伴うデータの前記受信を半持続的スケジューリング・データの前記再送として扱う
ように構成されている、請求項１に記載の装置。
【請求項７】
前記新規データ指示子フラグは物理ダウンリンク制御チャネルにおいて提供される、請求項１に記載の装置。
【請求項８】
半持続的スケジューリングを示すセル無線ネットワーク仮識別子を受信する手段と、
前記半持続的スケジューリングに従う新規データ指示子フラグを伴うデータの受信を
もし前記新規データ指示子フラグの値が第１所定値に等しければ持続的初期送信として扱い、
もし前記新規データ指示子フラグの前記値が第２所定値に等しければ半持続的スケジューリング・データの再送として扱う
手段と、
を含む装置。
【請求項９】
非半持続的スケジューリングを示す他のセル無線ネットワーク仮識別子を受信する手段と、
前記非半持続的スケジューリングに従う他の新規データ指示子フラグを伴う他の受信データを
もし前記他の新規データ指示子フラグの値が以前に受信された新規データ指示子フラグの値と異なれば新データとして扱い、
もし前記他の新規データ指示子フラグの前記値が前記以前に受信された新規データ指示子フラグの前記値に等しければ再送されたデータとして扱う
手段と、
をさらに含む、請求項８に記載の装置。
【請求項１０】
半持続的スケジューリングを示すセル無線ネットワーク仮識別子を受信し、
前記半持続的スケジューリングに従う新規データ指示子フラグを伴うデータの受信を以下の一つとして扱う、すなわち：
もし前記新規データ指示子フラグの値が第１所定値に等しければ持続的初期送信として扱い、
もし前記新規データ指示子フラグの前記値が第２所定値に等しければ半持続的スケジューリング・データの再送として扱う
ように構成されたコンピュータ可読媒体に格納されているプログラム・コードを含むコンピュータ・プログラム製品。
【請求項１１】
コンピュータ可読媒体に格納されている前記プログラム・コードは、
非半持続的スケジューリングを示す他のセル無線ネットワーク仮識別子を受信し、
前記非半持続的スケジューリングに従う他の新規データ指示子フラグを伴う他の受信データを以下の一つとして扱う、すなわち：
もし前記他の新規データ指示子フラグの値が以前に受信された新規データ指示子フラグの値と異なれば新データとして扱い、
もし前記他の新規データ指示子フラグの前記値が前記以前に受信された新規データ指示子フラグの前記値に等しければ再送されたデータとして扱う
ように構成されている請求項１０に記載のコンピュータ・プログラム製品。
【請求項１２】
半持続的スケジューリングを示すセル無線ネットワーク仮識別子を受信することと、
前記半持続的スケジューリングに従う新規データ指示子フラグを伴うデータの受信を以下の一つとして扱う、すなわち：
もし前記新規データ指示子フラグの値が第１所定値に等しければ持続的初期送信として扱い、
もし前記新規データ指示子フラグの前記値が第２所定値に等しければ半持続的スケジューリング・データの再送として扱う
ことと、
を含む方法。
【請求項１３】
前記新規データ指示子フラグが前記第１所定値に等しいときに前記半持続的スケジューリングに関連するパラメータを記憶させること
をさらに含む、請求項１２に記載の方法。
【請求項１４】
前記第１所定値は０であり、前記第２所定値は１である、請求項１２〜１３のうちのいずれか一項に記載の方法。
【請求項１５】
非半持続的スケジューリングを示す他のセル無線ネットワーク仮識別子を受信することと、
前記非半持続的スケジューリングに従う他の新規データ指示子フラグを伴う他の受信データを以下の一つとして扱う、すなわち：
もし前記他の新規データ指示子フラグの値が以前に受信された新規データ指示子フラグの値と異なれば新データとして扱い、
もし前記他の新規データ指示子フラグの前記値が前記以前に受信された新規データ指示子フラグの前記値に等しければ再送されたデータとして扱う
ことと、
をさらに含む、請求項１２に記載の方法。
【請求項１６】
もし前記新規データ指示子フラグの前記値が前記第１所定値に等しければデータ・バッファ内の格納されているデータをフラッシュすることと、
もし前記新規データ指示子フラグの前記値が前記第２所定値に等しければ前記格納されているデータを半持続的スケジューリング・データの前記再送と組み合わせることと、
をさらに含む、請求項１２に記載の方法。
【請求項１７】
ハイブリッド自動再送要求に従ってデータの受信失敗を示す否定応答信号を提供することと、
もし前記新規データ指示子フラグの前記値が前記第２所定値に等しければ前記半持続的スケジューリングに従う前記新規データ指示子フラグを伴うデータの前記受信を半持続的スケジューリング・データの前記再送として扱うことと、
をさらに含む、請求項１２に記載の方法。
【請求項１８】
半持続的スケジューリングを示すセル無線ネットワーク仮識別子を提供し、
前記半持続的スケジューリングに従うデータの持続的初期送信のための第１所定値、および
前記半持続的スケジューリングに従う半持続的スケジューリング・データの再送のための第２所定値、
のうちの１つを有する新規データ指示子フラグを導出する
ように構成されているプロセッサを含む装置。
【請求項１９】
前記プロセッサは、前記新規データ指示子フラグが前記第１所定値に等しいときに前記半持続的スケジューリングに関連するパラメータを提供するようにさらに構成されている、請求項１８に記載の装置。
【請求項２０】
前記第１所定値は０であり、前記第２所定値は１である、請求項１８に記載の装置。
【請求項２１】
前記プロセッサは、
非半持続的スケジューリングを示す他のセル無線ネットワーク仮識別子を提供し、
前記非半持続的スケジューリングに従う新データのための値であって、以前に送信された新規データ指示子フラグの値とは異なる値、および
前記非半持続的スケジューリングに従う再送データのための値であって、前記以前に送信された新規データ指示子フラグの前記値に等しい値、
のうちの１つを有する他の新規データ指示子フラグを導出する
ように構成されている、請求項１８に記載の装置。
【請求項２２】
前記プロセッサは、
ハイブリッド自動再送要求に従ってデータの受信失敗を示す否定応答信号を受信し、
前記半持続的スケジューリングに従う半持続的スケジューリング・データの前記再送のための前記第２所定値を有する前記新規データ指示子フラグを導出する
ように構成されている、請求項１８に記載の装置。
【請求項２３】
前記プロセッサは、物理ダウンリンク制御チャネルにおいて前記新規データ指示子フラグを提供するように構成されている、請求項１８に記載の装置。
【請求項２４】
前記半持続的リソース割当てに関連するパラメータは、時間および周波数割当てと、データの前記受信のための変調および符号化方式とのうちの少なくとも１つを含む、請求項１９に記載の装置。
【請求項２５】
半持続的スケジューリングを示すセル無線ネットワーク仮識別子を提供する手段と、
前記半持続的スケジューリングに従うデータの持続的初期送信のための第１所定値、および
前記半持続的スケジューリングに従う半持続的スケジューリング・データの再送のための第２所定値
のうちの１つを有する新規データ指示子フラグを導出する手段と、
を含む装置。
【請求項２６】
非半持続的スケジューリングを示す他のセル無線ネットワーク仮識別子を提供する手段と、
前記非半持続的スケジューリングに従う新データのための値であって、以前に送信された新規データ指示子フラグの値とは異なる値、および
前記非半持続的スケジューリングに従う再送データのための値であって、前記以前に送信された新規データ指示子フラグの前記値に等しい値
のうちの１つを有する他の新規データ指示子フラグを導出する手段と、
をさらに含む、請求項２５に記載の装置。
【請求項２７】
半持続的スケジューリングを示すセル無線ネットワーク仮識別子を提供し、
前記半持続的スケジューリングに従うデータの持続的初期送信のための第１所定値、および
前記半持続的スケジューリングに従う半持続的スケジューリング・データの再送のための第２所定値、
のうちの１つを有する新規データ指示子フラグを導出する
ように構成されたコンピュータ可読媒体に格納されているプログラム・コードを含むコンピュータ・プログラム製品。
【請求項２８】
コンピュータ可読媒体に格納されている前記プログラム・コードは、
非半持続的スケジューリングを示す他のセル無線ネットワーク仮識別子を提供し、
前記非半持続的スケジューリングに従う新データのための値であって、以前に送信された新規データ指示子フラグの値とは異なる値、および
前記非半持続的スケジューリングに従う再送データのための値であって、前記以前に送信された新規データ指示子フラグの前記値に等しい値
のうちの１つを有する他の新規データ指示子フラグを導出する
ように構成されている、請求項２７に記載のコンピュータ・プログラム製品。
【請求項２９】
半持続的スケジューリングを示すセル無線ネットワーク仮識別子を提供することと、
前記半持続的スケジューリングに従うデータの持続的初期送信のための第１所定値、および
前記半持続的スケジューリングに従う半持続的スケジューリング・データの再送のための第２所定値、
のうちの１つを有する新規データ指示子フラグを導出することと、
を含む方法。
【請求項３０】
前記新規データ指示子フラグが前記第１所定値に等しいときに前記半持続的スケジューリングに関連するパラメータを提供することをさらに含む、請求項２９に記載の方法。
【請求項３１】
非半持続的スケジューリングを示す他のセル無線ネットワーク仮識別子を提供することと、
前記非半持続的スケジューリングに従う新データのための値であって、以前に送信された新規データ指示子フラグの値とは異なる値、および
前記非半持続的スケジューリングに従う再送データのための値であって、前記以前に送信された新規データ指示子フラグの前記値に等しい値
のうちの１つを有する他の新規データ指示子フラグを導出することと、
をさらに含む、請求項２９に記載の方法。
【請求項３２】
ハイブリッド自動再送要求に従ってデータの受信失敗を示す否定応答信号を受信することと、
前記半持続的スケジューリングに従う半持続的スケジューリング・データの前記再送のための前記第２所定値を有する前記新規データ指示子フラグを導出することと、
をさらに含む、請求項２９に記載の方法。
【請求項３３】
物理ダウンリンク制御チャネルにおいて前記新規データ指示子フラグを提供することをさらに含む、請求項２９に記載の方法。
【請求項３４】
前記半持続的リソース割当てに関連するパラメータは、時間および周波数割当てと、データの前記受信のための変調および符号化方式とのうちの少なくとも１つを含む、請求項３０に記載の方法。
【請求項３５】
ランダムアクセス・チャネル・プロシージャに従うリソース割当てを示すランダムアクセス応答を受信し、
新規データ指示子を、前記リソース割当てに対応するハイブリッド自動反復要求プロセスのための所定値にセットし、
前記ハイブリッド自動反復要求プロセスのための新規送信を開始する
ように構成されているプロセッサを含む装置。
【請求項３６】
前記所定値は０である、請求項３５に記載の装置。
【請求項３７】
前記新規データ指示子の前記所定値は、前記ハイブリッド自動反復要求プロセスのための後続する送信に対するアップリンク許可で受信される新規データ指示子フラグのためのリファレンスとして使用される、請求項３５に記載の装置。
【請求項３８】
前記プロセッサは前記ランダムアクセス応答の前にランダムアクセス・プリアンブルを提供するように構成されている、請求項３５に記載の装置。
【請求項３９】
前記ランダムアクセス応答は物理ダウンリンク共有チャネルにおいて提供される、請求項３５に記載の装置。
【請求項４０】
前記リソース割当てに関連するパラメータを記憶するように構成されたメモリをさらに含む、請求項３５に記載の装置。
【請求項４１】
ランダムアクセス・チャネル・プロシージャに従うリソース割当てを示すランダムアクセス応答を受信する手段と、
新規データ指示子を、前記リソース割当てに対応するハイブリッド自動反復要求プロセスのための所定値にセットする手段と、
前記ハイブリッド自動反復要求プロセスのための新規送信を開始する手段と、
を含む装置。
【請求項４２】
前記新規データ指示子の前記所定値は、前記ハイブリッド自動反復要求プロセスのための後続する送信に対するアップリンク許可で受信される新規データ指示子フラグのためのリファレンスとして使用される、請求項４１に記載の装置。
【請求項４３】
ランダムアクセス・チャネル・プロシージャに従うリソース割当てを示すランダムアクセス応答を受信し、
新規データ指示子を、前記リソース割当てに対応するハイブリッド自動反復要求プロセスのための所定値にセットし、
前記ハイブリッド自動反復要求プロセスのための新規送信を開始する
ように構成されたコンピュータ可読媒体に格納されているプログラム・コードを含むコンピュータ・プログラム製品。
【請求項４４】
前記新規データ指示子の前記所定値は、前記ハイブリッド自動反復要求プロセスのための後続する送信に対するアップリンク許可で受信される新規データ指示子フラグのためのリファレンスとして使用される、請求項４３に記載のコンピュータ・プログラム製品。
【請求項４５】
ランダムアクセス・チャネル・プロシージャに従うリソース割当てを示すランダムアクセス応答を受信することと、
新規データ指示子を、前記リソース割当てに対応するハイブリッド自動反復要求プロセスのための所定値にセットすることと、
前記ハイブリッド自動反復要求プロセスのための新規送信を開始することと、
を含む方法。
【請求項４６】
前記所定値は０である、請求項４５に記載の方法。
【請求項４７】
前記新規データ指示子の前記所定値は、前記ハイブリッド自動反復要求プロセスのための後続する送信に対するアップリンク許可で受信される新規データ指示子フラグのためのリファレンスとして使用される、請求項４５に記載の方法。
【請求項４８】
前記ランダムアクセス応答を受信する前にランダムアクセス・プリアンブルを提供することをさらに含む、請求項４５に記載の方法。
【請求項４９】
前記ランダムアクセス応答は物理ダウンリンク共有チャネルにおいて提供される、請求項４５に記載の方法。
【請求項５０】
ランダムアクセス・チャネル・プロシージャに従うリソース割当てを示すランダムアクセス応答を提供し、
前記リソース割当てに従うハイブリッド自動反復要求プロセスのための新規送信を受信し、新規データ指示子のために所定値を使用する
ように構成されているプロセッサを含む装置。
【請求項５１】
前記所定値は０である、請求項５０に記載の装置。
【請求項５２】
前記新規データ指示子の前記所定値は、前記ハイブリッド自動反復要求プロセスのための後続する送信に対するアップリンク許可で提供される新規データ指示子フラグのためのリファレンスとして使用される、請求項５０に記載の装置。
【請求項５３】
前記プロセッサは前記ランダムアクセス応答の前にランダムアクセス・プリアンブルを受信するように構成されている、請求項５０に記載の装置。
【請求項５４】
前記ランダムアクセス応答は物理ダウンリンク共有チャネルにおいて提供される、請求項５０に記載の装置。
【請求項５５】
前記リソース割当てに関連するパラメータを記憶するように構成されたメモリをさらに含む、請求項５０に記載の装置。
【請求項５６】
ランダムアクセス・チャネル・プロシージャに従うリソース割当てを示すランダムアクセス応答を提供する手段と、
前記リソース割当てに従うハイブリッド自動反復要求プロセスのための新規送信を受信し、新規データ指示子のために所定値を使用する手段と、
を含む装置。
【請求項５７】
前記新規データ指示子の前記所定値は、前記ハイブリッド自動反復要求プロセスのための後続する送信に対するアップリンク許可で提供される新規データ指示子フラグのためのリファレンスとして使用される、請求項５６に記載の装置。
【請求項５８】
ランダムアクセス・チャネル・プロシージャに従うリソース割当てを示すランダムアクセス応答を提供し、
前記リソース割当てに従うハイブリッド自動反復要求プロセスのための新規送信を受信し、新規データ指示子のために所定値を使用する
ように構成されたコンピュータ可読媒体に格納されているプログラム・コードを含むコンピュータ・プログラム製品。
【請求項５９】
前記新規データ指示子の前記所定値は、前記ハイブリッド自動反復要求プロセスのための後続する送信に対するアップリンク許可で提供される新規データ指示子フラグのためのリファレンスとして使用される、請求項５８に記載のコンピュータ・プログラム製品。
【請求項６０】
ランダムアクセス・チャネル・プロシージャに従うリソース割当てを示すランダムアクセス応答を提供することと、
前記リソース割当てに従うハイブリッド自動反復要求プロセスのための新規送信を受信し、新規データ指示子のために所定値を使用することと、
を含む方法。
【請求項６１】
前記所定値は０である、請求項６０に記載の方法。
【請求項６２】
前記新規データ指示子の前記所定値は、前記ハイブリッド自動反復要求プロセスのための後続する送信に対するアップリンク許可で提供される新規データ指示子フラグのためのリファレンスとして使用される、請求項６０に記載の方法。
【請求項６３】
前記ランダムアクセス応答を受信する前にランダムアクセス・プリアンブルを受信することをさらに含む、請求項６０に記載の方法。
【請求項６４】
前記ランダムアクセス応答は物理ダウンリンク共有チャネルで提供される、請求項６０に記載の方法。
【発明の詳細な説明】
【技術分野】
【０００１】
本発明は、一般的には通信システムに関するものであり、特に、無線通信システムにおいて半持続的（セミパーシステント）にあるいは持続的（パーシステント）に割当てられた送信リソースのための新規データの指示表信号ための装置、システムおよび方法に関する。
【背景】
【０００２】
携帯電話、衛星、およびマイクロ波通信システムなどの無線通信システムが広く展開され、増大するユーザを引き付け続けている。従って、一定量のリソースで広いサービス・エリアに亘り、容量が増大しつつあるデータを送信する多数かつ不定数の通信デバイスに対応しなくてはならない喫緊の必要性がある。在来の通信システム・デザインは、急速に増大しつつある顧客ベースおよび拡大するサービス・レベルのために送信機出力および帯域幅を制限する一般的必要性があることを考慮して適度に広い地理的区域にわたって確実な通信を提供するよう要求されている。
【０００３】
第３世代パートナーシップ・プロジェクト・ロング・ターム・エボリューション（Ｔｈｉｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ（"３ＧＰＰ  ＬＴＥ"））プロジェクトは、継続する新しい要求条件およびユーザの増加に対処するために移動体通信のためのユニバーサル・モバイル遠隔通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ（"ＵＭＴＳ"））を改良するために産業界全体において進行しつつある取り組みを記述するために一般的に使われる名称である。この広い基盤プロジェクトの目標は、通信効率を改良すること、コストを下げること、サービスを改善すること、新しいスペクトル機会を利用すること、および他のオープンスタンダードとのより良い統合を達成することを含む。３ＧＰＰ  ＬＴＥプロジェクトは、それ自体としては標準規格を作る取り組みではないが、ＵＭＴＳのための標準規格についての新たな提言となるであろう。
【０００４】
制御チャネル・リソースが限られている無線通信システムでは、制御チャネル・リソースの利用を最適化するための様々な手法が考慮されている。一つの最適化手法は、ユーザ機器に割当てられた送信リソースの持続的または半持続的割当てを利用する。送信リソースの半持続的割当てとは、一般的に、持続的にスケジュールされる初期送信と、動的にスケジュールされる再送（例えば、否定応答後の）とを指す。３ＧＰＰ通信システムに関する議論における"持続的"リソースおよび"半持続的"リソースという用語の使用は、一般的に類似のプロセスに当てはまり、それらは本明細書では交換可能に使用される。該最適化手法は、半持続的リソースをダウンリンク（ｄｏｗｎｌｉｎｋ（"ＤＬ"））またはアップリンク（ｕｐｌｉｎｋ（"ＵＬ"））の送信のために割当てる。例えば、３ＧＰＰ  ＬＴＥプロジェクトをサポートするように構成されたシステムでは、半持続的および動的（ダイナミック）リソース・スケジューリングが一般的にシステム・デザインに含まれている。
【０００５】
半持続的スケジューリングのために、一パターンの周期的送信／受信リソースが、上位レイヤ・シグナル伝達および物理ダウンリンク制御チャネル（ｐｈｙｓｉｃａｌ  ｄｏｗｎｌｉｎｋ  ｃｏｎｔｒｏｌ  ｃｈａｎｎｅｌ（"ＰＤＣＣＨ"））シグナル伝達を用いてユーザ機器（ｕｓｅｒ  ｅｑｕｉｐｍｅｎｔ（"ＵＥ"））に割当てられる。例えば、２０ミリ秒（"ｍｓ"）の時間周期性を有するリソースについては、該周期性は、上位レイヤ・シグナル伝達（例えば、無線リソース制御（ｒａｄｉｏ  ｒｅｓｏｕｒｃｅ  ｃｏｎｔｒｏｌ（"ＲＲＣ"））シグナル伝達）で伝達され、ＰＤＣＣＨを用いて割当てられ、ユーザ機器が、さらなる明示的レイヤ１／レイヤ２（"Ｌ１／Ｌ２"）制御シグナル伝達無しで（すなわち、さらなるＰＤＣＣＨシグナル伝達無しで）前もって割当てられたリソースを用いて送信または受信することを可能にする。
【０００６】
ユーザ機器は一般的に新規データ指示子（ｎｅｗ  ｄａｔａ  ｉｎｄｉｃａｔｏｒ（"ＮＤＩ"））フラグの値を保持し、それは、レシーバに、送信の性質が新たな送信であるのか、あるいは再送信であるのかを伝達する。通常、動的スケジューリングでは、ＮＤＩフラグはＰＤＣＣＨにおいて制御シグナル伝達で明示的に伝達される。しかし、半持続的割当てリソース・スケジューリングについては、ＰＤＣＣＨシグナル伝達は、従ってＮＤＩフラグは、送信リソースを節約するために初期送信のためには送信されない。例えば、ハイブリッド自動再送要求（ｈｙｂｒｉｄ  ａｕｔｏｍａｔｉｃ  ｒｅｔｒａｎｓｍｔ  ｒｅｑｕｅｓｔ（"ＨＡＲＱ"））においては、失敗したデータ受信を示すためのユーザ機器からの"否定応答"（ｎｅｇａｔｉｖｅ  ａｃｋｎｏｗｌｅｄｇｅｍｅｎｔ（"ＮＡＣＫ"））信号に応答して基地局によって行われるであろう、データ再送のためにＮＤＩフラグがどのように伝達されるのか、あるいはその他の方法で処理されるかという問題もある。ユーザ機器は、受信したデータを、新しい入力として、あるいは確実な解釈のためにそれと組み合わされるべき以前に受信されたデータの反復送信として処理できるように、ＮＤＩフラグを必要とする。ＮＤＩはアップリンク送信のためにも使用される。ＬＴＥアップリンクでは、ＮＤＩはＰＤＣＣＨでダウンリンクに送られ、それに基づいて、ユーザ機器は再送するかあるいは新しいデータを送信する。
【０００７】
上記の制限を考慮すれば、種々のシグナル伝達条件またはＰＤＣＣＨ無しの他の割当てに関して半持続的に割当てられた送信リソースのためにＮＤＩフラグのための値を確実に示すためのシステムおよび方法は、将来の無線アプリケーションのために現在は利用できない。従って、当該技術分野で必要とされるものは、種々のリソース割当て取り決めのために、さらに、遭遇すると予想され得る種々のシグナル伝達状況のために基地局およびユーザ機器間でＮＤＩフラグを確実に交換し得る通信システムである。
【発明の概要】
【０００８】
半持続的に割当てられあるいはスケジュールされたリソースのために新規データ指示子の値を決定するように構成された通信システムに採用し得る装置を含む本発明の有利な実施態様によって、これらのおよびその他の問題は一般的に解決あるいは回避され、技術的利点が一般的に達成される。一実施態様では、該装置（例えば、ユーザ機器）は、半持続的スケジューリングを示すセル無線ネットワーク仮識別子を受信するように構成されたプロセッサを含む。該プロセッサは、該半持続的スケジューリングに従う新規データ指示子フラグを伴うデータの受信を、該新規データ指示子フラグの値が第１所定値（例えばゼロという値）に等しければ持続的初期送信として扱い、該新規データ指示子フラグの値が第２所定値（例えば１という値）に等しければ半持続的スケジューリング・データの再送として扱うようにも構成される。
【０００９】
他の一つの実施態様では、該装置（例えば、基地局）は、半持続的スケジューリングを示すセル無線ネットワーク仮識別子を提供するように構成されたプロセッサを含む。該プロセッサは、半持続的スケジューリングに従うデータの持続的初期送信のための第１所定値（例えば、ゼロという値）、および半持続的スケジューリングに従う半持続的スケジューリング・データの再送のための第２所定値（例えば、１という値）のうちの１つを有する新規データ指示子フラグを導出するようにも構成される。
【００１０】
他の一つの構成に関連する他の一つの実施態様では、該装置（例えば、ユーザ機器）は、ランダムアクセス・チャネル・プロシージャに従うリソース割当てを示すランダムアクセス応答を受信するように構成されたプロセッサを含む。該プロセッサは、新規データ指示子を該リソース割当てに対応するハイブリッド自動反復要求プロセスのための所定値（例えば、ゼロという値）にセットし、該ハイブリッド自動反復要求プロセスのための新しい送信を開始するようにも構成される。関連する代わりの実施態様では、該装置（例えば、基地局）は、ランダムアクセス・チャネル・プロシージャに従うリソース割当てを示すランダムアクセス応答を提供するように構成されたプロセッサを含む。該プロセッサは、該リソース割当てに従うハイブリッド自動反復要求プロセスのための新規送信を受信し、新規データ指示子のための所定値（例えば、ゼロという値）を使用するようにも構成される。
【００１１】
以上は、次の本発明についての詳細な記述がより良く理解されるように本発明の特徴および技術的利点を幾分広く略述している。本発明のさらなる特徴および利点は、以下に記述される。開示される概念および特定の実施態様は本発明の同じ目的を達成するために改変をし、あるいは他の構造またはプロセスを設計するための基礎として容易に利用され得るものであるということが当業者に理解されるべきである。そのような同等構成が本発明の精神および範囲から逸脱しないということも当業者に理解されるべきである。
【００１２】
本発明と、その利点とのより完全な理解のために、次に、添付図面と関連して考慮される次の記述を参照する。
【図面の簡単な説明】
【００１３】
【図１】本発明の原理の応用のための環境を提供する無線通信システムを含む通信システムの実施態様のシステム・レベルの図を示す。
【図２】本発明の原理の応用のための環境を提供する無線通信システムを含む通信システムの実施態様のシステム・レベルの図を示す。
【図３】本発明の原理の応用のための通信システムの通信エレメントの実施態様のシステム・レベル図を示す。
【図４Ａ】本発明の原理に従ってボイス・オーバー・インターネット・プロトコルを使用するダウンリンクにおける代表的なトーク・スパート・ベースの動的スケジューリングの図を示す。
【図４Ｂ】本発明の原理に従ってボイス・オーバー・インターネット・プロトコルを使用するダウンリンクにおける代表的なトーク・スパート・ベースの半持続的スケジューリングの図を示す。
【図５】本発明の原理に従って半持続的リソース割当ての場合に交替する新規データ指示子フラグの値の実施態様の図を示す。
【図６】本発明の原理に従って半持続的リソース割当てのために固定された新規データ指示子フラグの値の実施態様の図を示す。
【図７】本発明の原理に従って新規データ指示子フラグのために固定値が仮定されるアップリンク・データ送信の実施態様の図を示す。
【図８Ａ】本発明の原理に従って新規データ指示子フラグのために一つの値が仮定される、コンテンション・ベースのランダムアクセス・プロシージャのためのデータ送信の実施態様の図を示す。
【図８Ｂ】本発明の原理に従って新規データ指示子フラグのために一つの値が仮定される、ノンコンテンション・ベースのランダムアクセス・プロシージャのためのデータ送信の実施態様の図を示す。
【例示的実施形態の詳細な説明】
【００１４】
現在好ましい実施態様の製造および使用について以下で詳しく論じる。ただし、本発明が多様な具体的状況下で具体化され得る多くの応用可能な独創的思想を提供するということが理解されるべきである。論じられる具体的な実施態様は、発明品を製造し使用する特定の方法を単に示すに過ぎなくて、発明の範囲を限定するものではない。本発明は、半持続的に割当てられる送信のためのＮＤＩフラグの値を確実に決定するという特定の状況において代表的実施態様に関して記述される。一般的に、本発明は、セル方式あるいはアドホック無線通信ネットワークなどの任意の通信システムに適用されてもよい。
【００１５】
以降で詳しく論じられるように、通信システム（例えば、無線セル方式通信ネットワークを含む）は、半持続的に割当てられあるいはスケジュールされたリソースのためのＮＤＩフラグのために一つの値を決定するように構成される。装置（例えば、基地局）は、ＮＤＩフラグの値を導出するように構成されたプロセッサを含む。ＮＤＩフラグの値は、装置によるどの送信についてもプロセッサによってトグルされてもよい。ＮＤＩフラグは、持続的割当てのために固定値であってもよい。ＮＤＩフラグの値は、半持続的割当てのために留保されているハイブリッド自動再送要求（"ＨＡＲＱ"）プロセスの数、システム・フレーム・ナンバー（ｓｙｓｔｅｍ  ｆｒａｍｅ  ｎｕｍｂｅｒ（"ＳＦＮ"））および半持続的周期性から暗黙に導出されてもよい。該装置は、物理ダウンリンク制御チャネル（"ＰＤＣＣＨ"）などの制御チャネルでＮＤＩフラグを送信するように構成されたトランシーバをも含む。それによれば、装置（例えば、ユーザ機器）は、ＮＤＩフラグを受信するように構成されたトランシーバを含み、そのプロセッサは、データ・バッファにより、該ＮＤＩフラグに関連するデータを該バッファに格納されているデータと組み合わせるか、あるいは該バッファをフラッシュして該データを該ＮＤＩフラグに基づいて新しいデータとして処理するように構成される。
【００１６】
初めに図１を参照すると、本発明の原理の応用のための環境を提供する無線通信システムを含む通信システムの実施態様のシステム・レベルの図が示されている。図１に示されている通信システムはセル方式通信システムを表すけれども、参照により本明細書に組み込まれるＩＥＥＥ標準規格８０２．１６により記載されているものなどのアドホック無線通信システムは本発明の原理の応用のための他の環境を提供する。該無線通信システムはエボルブドＵＭＴＳテレストリアル・ラジオ・アクセス・ネットワーク（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ（"ｅ−ＵＴＲＡＮ"））ユニバーサル・モバイル遠隔通信サービスを提供するように構成されてもよい。モバイル・マネージメント・エンティティ／システム・アーキテクチャ・エボリューション・ゲートウェイ（ｍｏｂｉｌｅ  ｍａｎａｇｅｍｅｎｔ  ｅｎｔｉｔｙ／ｓｙｓｔｅｍ  ａｒｃｈｉｔｅｃｔｕｒｅ  ｅｖｏｌｕｔｉｏｎ  ｇａｔｅｗａｙ）（"ＭＭＥ／ＳＡＥ  ＧＷ"、そのうちの１つは１１０と称されている）は、Ｓ１通信リンク（そのうちの幾つかは"Ｓ１リンク"と称されている）を介してｅ−ＵＴＲＡＮノードＢ（"ｅＮＢ"、"エボルブド・ノードＢ（ｅｖｏｌｖｅｄ  ｎｏｄｅ  Ｂ）"と称され、"基地局"とも呼ばれ、それらのうちの１つは１２０と称されている）のための制御機能を提供する。基地局１２０はＸ２通信リンク（"Ｘ２リンク"と称されている）を介して通信する。種々の通信リンクは、一般的にファイバ、マイクロ波、または同軸リンクなどの他の高周波金属通信経路、あるいはそれらの組み合わせである。
【００１７】
基地局１２０はユーザ機器（"ＵＥ"、そのうちの幾つかは１３０と称されている）と通信し、それは一般的にはユーザが携行するモバイル・トランシーバである。基地局１２０をユーザ機器１３０に結合させる通信リンク（"Ｕｕ"通信リンクと称され、そのうちの幾つかは"Ｕｕリンク"と称されている）は、例えば直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘ（"ＯＦＤＭ"））信号などの無線通信信号を使用するエアーリンクである。
【００１８】
ここで図２に向かうと、本発明の原理の応用のための環境を提供する無線通信システムを含む通信システムの実施態様のシステム・レベルの図が示されている。該無線通信システムは、ユーザ機器２２０に対してｅ−ＵＴＲＡＮユーザ・プレーン（パケット・データ・コンバージェンス・プロトコル／無線リンク制御／メディア・アクセス制御／物理）および制御プレーン（無線リソース制御）プロトコル・ターミネーションを提供する基地局（そのうちの１つは２１０と称されている）を含むｅ−ＵＴＲＡＮアーキテクチャを提供する。基地局２１０はＸ２インターフェースまたは通信リンク（"Ｘ２"と称されている）で相互に接続される。基地局２１０は、Ｓ１インターフェースまたは通信リンク（"Ｓ１"と称されている）によって、モバイル・マネージメント・エンティティ／システム・アーキテクチャ・エボリューション・ゲートウェイ（"ＭＭＥ／ＳＡＥ  ＧＷ"、そのうちの１つは２３０と称されている）を含むエボルブド・パケット・コア（ｅｖｏｌｖｅｄ  ｐａｃｋｅｔ  ｃｏｒｅ（"ＥＰＣ"））にも接続されている。Ｓ１インターフェースはモバイル・マネージメント・エンティティ／システム・アーキテクチャ・エボリューション・ゲートウェイ２３０と基地局２１０との間の複数エンティティ関係をサポートする。パブリック・ランド・モバイル間ハンドオーバをサポートするアプリケーションのために、ｅＮＢ間アクティブ・モード・モビリティがＳ１インターフェースを介してモバイル・マネージメント・エンティティ／システム・アーキテクチャ・エボリューション・ゲートウェイ２３０によってサポートされる。
【００１９】
基地局２１０は無線リソース管理などの機能をホストすることができる。例えば、基地局２１０は、ユーザ・データ・ストリームのインターネット・プロトコル（ｉｎｔｅｒｎｅｔ  ｐｒｏｔｏｃｏｌ（"ＩＰ"））ヘッダ圧縮および暗号化、ユーザ・データ・ストリームのサイファリング、無線ベアラ制御、無線アドミッション制御、コネクション・モビリティ制御、アップリンクおよびダウンリンクの両方におけるリソースのユーザ機器への動的割当て、ユーザ機器アタッチメントにおけるモビリティ管理エンティティの選択、ユーザ・プレーン・データのユーザ・プレーン・エンティティへのルーティング、（モビリティ管理エンティティから生じた）ページング・メッセージのスケジューリングおよび送信、（モビリティ管理エンティティまたは動作およびメンテナンスから生じた）ブロードキャスト情報のスケジューリングおよび送信、およびモビリティおよびスケジューリングのための測定およびコンフィギュレーション報告などの機能を実行することができる。モバイル・マネージメント・エンティティ／システム・アーキテクチャ・エボリューション・ゲートウェイ２３０は、ページング・メッセージの基地局２１０への配布、セキュリティ制御、ページング理由によるＵ−プレーン・パケットのターミネーション、ユーザ機器モビリティのサポートのためのＵ−プレーンのスイッチング、アイドル状態モビリティ制御、およびシステム・アーキテクチャ・エボリューション・ベアラ制御などの機能をホストすることができる。ユーザ機器２２０は、基地局２１０から情報ブロックのグループの割当てを受信する。
【００２０】
ここで図３に向かうと、本発明の原理の応用のための通信システムの通信エレメント３１０の実施態様のシステム・レベルの図が示されている。通信エレメントまたはデバイス３１０は、限定無しに、基地局、端末または移動局などのユーザ機器、ネットワーク制御エレメント、通信ノード等を表すことができる。通信エレメント３１０は、少なくとも、プロセッサ３２０、プログラムおよび一時的なあるいはより永続的な性質のデータを記憶するメモリ３５０、アンテナ３６０、および双方向無線通信のためにアンテナ３６０およびプロセッサ３２０に結合された無線周波数トランシーバ３７０を含む。通信エレメント３１０は、ポイント・ツー・ポイントおよび／またはポイント・ツー・マルチポイント通信サービスを提供することができる。
【００２１】
セル方式ネットワーク内の基地局などの通信エレメントは、公衆交換電話網（ｐｕｂｌｉｃ  ｓｗｉｔｃｈｅｄ  ｔｅｌｅｃｏｍｍｕｎｉｃａｔｉｏｎ  ｎｅｔｗｏｒｋ（"ＰＳＴＮ"））のネットワーク制御エレメント３８０などの通信ネットワーク・エレメントに結合されてもよい。ネットワーク制御エレメント３８０は、プロセッサ、メモリ、および他の電子エレメント（図示されていない）を備えて形成されてもよい。ネットワーク制御エレメント３８０は、一般的に、ＰＳＴＮなどの遠隔通信ネットワークへのアクセスを提供する。アクセスは、光ファイバ、同軸、ツイストペア、マイクロ波通信、あるいは、適切なリンク終端接続エレメントに結合された類似のリンクを用いて提供されてもよい。移動局として形成された通信エレメント３１０は、一般的に、エンドユーザにより携行されるように意図された自己内蔵型デバイスである。
【００２２】
１つまたは複数の処理デバイスで実現され得る通信エレメント３１０内のプロセッサ３２０は、その動作と関連付けられた、通信メッセージを形成する個々のビットの符号化および復号化（エンコーダ／デコーダ）、情報のフォーマッティング、および、リソースの管理（リソース・マネージャ）に関連するプロセスを含む該通信エレメントの全体的制御（コントローラ）、を限定無しに含む機能を実行する。リソースの管理に関連する代表的機能は、ハードウェアのインストール、トラフィック管理、性能データ分析、エンドユーザおよび機器のトラッキング、コンフィギュレーション管理、エンドユーザ管理、ユーザ機器の管理、料金、サブスクリプション、および課金の管理、等を限定無しに含む。リソースの管理に関連する特定の機能またはプロセスの全部または部分の実行は、通信エレメント３１０とは別の、かつ／または通信エレメント３１０に結合された、機器において行われることができ、その結果、そのような機能またはプロセスは実行のために通信エレメント３１０に伝達される。通信エレメント３１０のプロセッサ３２０は、局所的応用環境に適するどのようなタイプのものであっても良く、非限定的な例としての汎用コンピュータ、特殊目的コンピュータ、マイクロプロセッサ、デジタル・シグナル・プロセッサ（ｄｉｇｉｔａｌ  ｓｉｇｎａｌ  ｐｒｏｃｅｓｓｏｒ（"ＤＳＰ"））、および、マルチコア・プロセッサ・アーキテクチャに基づくプロセッサのうちの１つ以上を含むことができる。
【００２３】
通信エレメント３１０のトランシーバ３７０は、通信エレメント３１０によりアンテナ３６０を介して他の通信エレメントへ送信するために情報を搬送波形上に変調する。トランシーバ３７０は、アンテナ３６０を介して受信した情報を、他の通信エレメントによるさらなる処理のために復調する。
【００２４】
通信エレメント３１０のメモリ３５０は、上で紹介されたように、局所的応用環境に適する任意のタイプのものであって良く、半導体ベースのメモリデバイス、磁気メモリデバイスおよびシステム、光メモリデバイスおよびシステム、固定メモリ、ならびに取り外し可能メモリなどの任意の適切な揮発性または不揮発性のデータ記憶技術を用いて実現されてもよい。メモリ３５０に記憶されるプログラムは、関連付けられたプロセッサによって実行されたときに該通信エレメントが本明細書に記載されたタスクを実行することを可能にするプログラム命令を含むことができる。もちろん、メモリ３５０は、通信エレメント３１０へ送信されるデータおよび通信エレメント３１０から送信されるデータのためのデータ・バッファを形成することができる。本明細書に記載されるシステム、サブシステムおよびモジュールの代表的実施態様は、少なくとも部分的に、例えばユーザ機器および基地局のプロセッサにより実行可能なコンピュータ・ソフトウェアにより、ハードウェアにより、あるいはその組み合わせにより、実現されてもよい。より明らかになるように、システム、サブシステムおよびモジュールは、図示されかつ上で記述された通信エレメントにおいて具体化されてもよい。
【００２５】
一実施態様では、装置（ユーザ機器などの通信エレメント３１０）のプロセッサ３２０は、半持続的なスケジューリングまたはリソース割当てを示すセル無線ネットワーク仮識別子を受信し、該半持続的スケジューリングに従うＮＤＩフラグを伴うデータの受信を、もしそのＮＤＩフラグの値が第１所定値（例えば、ゼロという値）に等しければ、持続的初期送信として扱うように、構成される。そのような場合には、プロセッサ３２０は、メモリ３５０に常駐しているデータ・バッファに、その中に格納されているデータをフラッシュするように、命令することができる。プロセッサ３２０は、該半持続的スケジューリングに従うＮＤＩフラグを伴うデータの受信を、該ＮＤＩフラグの値が第２所定値（例えば、１という値）に等しければ、半持続的スケジューリングのデータの再送（例えば、ハイブリッド自動再送要求に従うデータの受信失敗を示す否定応答信号に応答しての）として扱うようにも構成される。そのような場合には、プロセッサ３１０は、メモリ３５０に常駐しているデータ・バッファにより、半持続的スケジューリング・データの該再送を、その中に格納されているデータと組み合わせる。さらに、メモリ３５０は、（例えば、ＮＤＩフラグの値が第２所定値に等しければ）半持続的スケジューリングと関連付けられたパラメータ(例えば、時間および周波数割当て、データの受信のための変調および符号化方式)を記憶するように構成される。関連する代替実施態様では、プロセッサ３２０は、非半持続的スケジューリングまたはリソース割当てを示す他のセル無線ネットワーク仮識別子を受信し、該非半持続的スケジューリングに従う他のＮＤＩフラグを伴う他の受信データを、もし該他の新規データ指示子・フラグの値が以前に受信されたＮＤＩフラグの値と異なれば新データとして扱い、もし該他の新規データ指示子フラグの値が以前に受信された新規データ指示子フラグの値と等しければ再送されたデータとして扱う、ように構成される。
【００２６】
他の実施態様では、装置(基地局などの通信エレメント３１０)のプロセッサ３２０は、半持続的スケジューリングまたはリソース割当てを示すセル無線ネットワーク仮識別子を提供すると共にＮＤＩフラグを導出するように構成される。該ＮＤＩフラグは、該半持続的スケジューリングに従うデータの持続的初期送信のための第１所定値(例えば、ゼロという値)と、該半持続的スケジューリングに従う半持続的スケジューリング・データの再送(例えば、ハイブリッド自動再送要求に従うデータの受信失敗を示す否定応答信号に応答しての)のための第２所定値(例えば、１という値)とを有する。プロセッサ３２０は、非半持続的スケジューリングまたはリソース割当てを示す他のセル無線ネットワーク仮識別子を提供すると共に他のＮＤＩフラグを導出するようにも構成される。該他のＮＤＩフラグは、該非半持続的スケジューリングに従う新規データのための以前に送信されたＮＤＩフラグの値と異なる値と、該非半持続的スケジューリングに従う再送されたデータのための以前に送信された新規データ指示子フラグの値に等しい値とを有する。
【００２７】
他の構成に関連する一実施態様では、装置(ユーザ機器などの通信エレメント３１０)のプロセッサ３２０は、ランダムアクセス・プリアンブルを提供し、ランダムアクセス・チャネル・プロシージャに従うリソース割当てを示すランダムアクセス応答を受信するように構成される。プロセッサ３２０は、新規データ指示子を、該リソース割当てに対応するハイブリッド自動反復要求プロセスのための所定値(例えば、ゼロという値)にセットし、該ハイブリッド自動反復要求プロセスのための新しい送信を開始するようにも構成される。新規データ指示子の該所定値は、該ハイブリッド自動反復要求プロセスのための後続する送信に対するアップリンク許可で受信される新規データ指示子フラグのためのリファレンスとして使用される。さらに、メモリ３５０は、該リソース割当てに関連付けられたパラメータを記憶するように構成される。
【００２８】
他の関連する実施態様では、装置(基地局などの通信エレメント３１０)のプロセッサ３２０は、ランダムアクセス・プリアンブルを受信し、ランダムアクセス・チャネル・プロシージャに従うリソース割当てを示すランダムアクセス応答を提供するように構成される。プロセッサ３２０は、該リソース割当てに従うハイブリッド自動反復要求プロセスのための新しい送信を受信し、新規データ指示子のための所定値(例えば、ゼロという値)を使用するようにも構成される。該新規データ指示子の該所定値は、該ハイブリッド自動反復要求プロセスのための後続する送信に対するアップリンク許可で提供される新規データ指示子フラグのためのリファレンスとして使用される。さらに、メモリ３５０は、該リソース割当てと関連付けられたパラメータを記憶するように構成される。
【００２９】
ここで図４Ａおよび４Ｂに向かうと、ボイス・オーバー・インターネット・プロトコル（ｖｏｉｃｅ  ｏｖｅｒ  ｉｎｔｅｒｎｅｔ  ｐｒｏｔｏｃｏｌ（"ＶｏＩＰ"））を使用するダウンリンクにおける代表的なトーク・スパート・ベースの動的あるいは半持続的スケジューリングの図がそれぞれ示されている。図４Ａから始めると、ＶｏＩＰパケットの動的スケジューリングの例が示されている。各データ送信は、新しい送信および再送がＰＤＣＣＨで送られるということを意味する制御チャネル(例えばＰＤＣＣＨ)送信(ダウンリンク割当て)と関連付けられる。図４ＡはＮＤＩビット／フラグの通常の使用も示し、初期割当ておよびＶｏＩＰパケット４０１がダウンリンクで送信される。関連するＮＤＩフラグは、例えば、ゼロにセットされる。ＮＤＩフラグは、各新規送信(４０２、４０３、４０４)ではトグルされ、再送(４０５)では同じに保たれる。従って、トランシーバは、送信が先行する送信と組み合わされるべきか(同じＮＤＩフラグ)あるいはバッファがフラッシュされるべきか(異なるＮＤＩフラグ)を知る。
【００３０】
ここで図４Ｂに向かうと、ＶｏＩＰのためのダウンリンクにおけるトーク・スパート・ベースの半持続的スケジューリングの例が示されている。トーク・スパートの始めにトラフィックが特定されると、時間および周波数リソースならびに搬送フォーマットがＬ１／Ｌ２制御シグナル伝達(例えば、ＰＤＣＣＨを使用する)でユーザ機器に割当てられる。原則として、無線リソース制御は、時間周期性、およびことによると搬送ブロックサイズ（ｔｒａｎｓｐｏｒｔ  ｂｌｏｃｋ  ｓｉｚｅ（"ＴＢＳ"）)も、提供する。そのとき、ＰＤＣＣＨは、時間および周波数割当て、変調および符号化方式（ｍｏｄｕｌａｔｉｏｎ  ａｎｄ  ｃｏｄｉｎｇ  ｓｃｈｅｍｅ("ＭＣＳ"））、ならびにことによるとハイブリッド自動再送要求("ＨＡＲＱ")および確認応答／否定応答（ａｃｋｎｏｗｌｅｄｇｅｍｅｎｔ／ｎｅｇａｔｉｖｅ  ａｃｋｎｏｗｌｅｄｇｅｍｅｎｔ（"ＡＣＫ／ＮＡＣＫ"）)リソースについての情報も提供するために、該トーク・スパートの始めに一回使用される(パケット５０１のためのダウンリンク割当て)。ユーザ機器は、該時間および周波数リソースならびに搬送フォーマット情報をメモリに格納する。該データがあれば、ユーザ機器は、該無線リソース制御を介して伝達された既知の周期性パターンで、パケットの割当てられたフォーマットを用いてアップリンクで送信することができ、またはこれらのリソースを用いてダウンリンクで受信することができる。
【００３１】
図４Ｂにおいて、第１ＶｏＩＰパケット５０１は、持続的な割当てられたリソースならびに変調および符号化方式を提供するＰＤＣＣＨと共に送られる。第２の(新しい)ＶｏＩＰパケット５０２およびその後の(新しい)ＶｏＩＰパケット５０３、５０４は、明示的ＰＤＣＣＨシグナル伝達を必要とせずに送られてもよい。ＨＡＲＱ  ＡＣＫおよびＮＡＣＫレスポンスおよび代表的な再送（５０５）も図４Ｂに示されている。ダウンリンクの再送は、(ＰＤＣＣＨにおける）Ｌ１／Ｌ２制御シグナル伝達を用いて送られる。従って、持続的スケジューリングは初期送信のために適用されるだけでよい。
【００３２】
送信の性質が新たな送信／再送信であるのかをレシーバに知らせる新規データ指示子("ＮＤＩ")フラグは(ＰＤＣＣＨ内の)Ｌ１／Ｌ２制御シグナル伝達においてアップリンクおよびダウンリンクの両方のために１ビットで明示的に伝達され得るということが考慮されている。それによれば、ＮＤＩフラグは、ＡＣＫ信号に応答して、例えば各々の新規送信のために(すなわち、反復される送信のためにではなく)連続する搬送ブロック間でトグルあるいは変更される。例えば、２つの再送については、ＮＤＩフラグは１または０で変化せず、その後は各々の新しい送信のために該フラグは、図４Ａで表されているように、４つの新規送信のためのＮＤＩフラグがそれらの対応するＰＤＣＣＨにおいてシーケンス［１、０、１、０］であるように、変更される。これは、ＮＤＩフラグが新しいデータの各々の送信のために０から１へ、あるいは１から０へと変化するということを示す。しかし、再送のためには、ＮＤＩフラグは、同じデータ・パケットの最初の(あるいは先行する)送信のために使われたのと同じ値を維持する。従って、ＮＤＩ値の変化は、パケットが新しいということを意味する。ＨＡＲＱバッファなどの対応するデータ・バッファはフラッシュされ、受信された情報はＨＡＲＱバッファ内の旧情報と組み合わされない。
【００３３】
半持続的スケジューリングについては、ＰＤＣＣＨデータは初期送信のためには送られず、従ってＮＤＩフラグの値はわからない、すなわちそれは明示的に伝達されず、従って再送で使用されるべきＮＤＩ値はわからない。初期送信のためのＮＤＩフラグの値は、対応するＨＡＲＱ再送を正しく受信して組み合わせるために、知られている必要がある。
【００３４】
ＮＤＩフラグの値を知ることに対する一つのソリューションは、半持続的なリソースおよび動的に割当てられるリソースの両方のために、および各々の半持続的送信可能性のために、すなわちたとえ実際には半持続的割当てを用いて何も送信されなくても、各送信のためにＮＤＩフラグをトグルすることである。ユーザ機器は、新データの送信を復号化しようと試み、従ってＮＤＩフラグのための変化した値を仮定する。
【００３５】
ＮＤＩフラグはＰＤＣＣＨで送られ、従って図４Ａでは、それはダウンリンク割当てと共に送られるということに留意する。さらなるＰＤＣＣＨリソース割当てを必要としない送信は半持続的割当てであり、それらのためにＮＤＩフラグは明示的には伝達されない。しかし、図５は、ＮＤＩフラグ値がユーザ機器により暗黙に仮定される半持続的割当てを示す (図５において示されているＮＤＩ値）。これはトランシーバにおいて再送を組み合わせるときに必要とされる。それは、同じＮＤＩフラグ値はデータを不完全にあるいは不正確に受信された先行するデータと組み合わせることを示し、異なるＮＤＩフラグ値はＨＡＲＱバッファをフラッシュすることと、受信したデータをＨＡＲＱバッファ内の旧データと組み合わせないこととを示すからである。ダウンリンクにおける再送は、ＰＤＣＣＨリソースと共に送られ、従って明示的ＮＤＩフラグと共にも送られる。
【００３６】
これには、持続的リソースが解放されたときにユーザ機器と基地局とがＮＤＩフラグ値について同じ理解を持つという不利益がある。これを成し遂げることは、特に暗黙解放未使用持続的割当て（implicit release unused persistent allocations)の前の持続数（number of persistent（"Ｎ＿ＰＳ"））の割当ての後の暗黙の解放が仮定されていれば、困難であろう。半持続的スケジューリングのためには、ＰＤＣＣＨデータは初期送信のためには送られないので、ＮＤＩフラグ値 (すなわち、どのＮＤＩフラグ値を再送に使用するか) はわからない。対応するＨＡＲＱ再送を正しく受信して組み合わせるためには、初期送信のためのＮＤＩフラグの値がわかっていなくてはならない。従って、たとえＮＤＩフラグ値が、実際に送信されるパケットについてのみ変更されるとしても、同じ問題が存在する。
【００３７】
半持続的に割当てられる送信リソースのためのＮＤＩフラグ値を定めるための代表的実施態様が次にさらに詳しく記載される。第１実施態様では、半持続的割当てを用いて実際には何も送られなくても(すなわち、各半持続的送信可能性のためにも)、ＮＤＩフラグは、上で紹介されたように全ての新しい送信のために(持続的なリソースおよび動的に割当てられるリソースのために)トグルされる。これは、新しいデータが送られないけれどもユーザ機器は半持続的送信を期待するという場合を含む。ユーザ機器は、送信を復号化しようと試み、ＮＤＩのために変更された値を仮定する。従って、該第１実施態様では、半持続的に割当てられたリソースまたは動的に割当てられたリソースがあるとき、それらのリソースを使用する実際の送信があってもなくても、ユーザ機器および基地局の両方がＮＤＩ状態を変更する。再送のためには、ＮＤＩフラグ値はＰＤＣＣＨに含まれる。
【００３８】
ここで図５に向かうと、本発明の原理に従う半持続的リソース割当ての場合に交替する新規データ指示子フラグの値の実施態様の図が示されている。ダウンリンク割当ては、ダウンリンク割当てを与えるＰＤＣＣＨで送信されるダウンリンク制御情報(ｄｏｗｎｌｉｎｋ  ｃｏｎｔｒｏｌ  ｉｎｆｏｒｍａｔｉｏｎ("ＤＣＩ"))に関連する。半持続的（ｓｅｍｉ−ｐｅｒｓｉｓｔｅｎｔ("ＳＰ"））ダウンリンク割当ては、時間と、周波数と、さらなるＰＤＣＣＨ入力無しで周期的に使用される変調および符号化方式とを含み得る、半持続的使用のためのダウンリンク割当てを与えるＰＤＣＣＨで送信されるダウンリンク制御情報に関連する。
【００３９】
ＮＤＩフラグはＰＤＣＣＨで送られるということ、従って図５ではそれは動的ダウンリンク割当てと共におよび半持続的ダウンリンク割当てと共に送られるということに留意する。ＰＤＣＣＨデータを伴わない送信(半持続的に割当てられたダウンリンクのリソースを含む)は、半持続的リソースを用いて行なわれる。これらの送信のための割当ては明示的には伝達されないので、ＮＤＩフラグも伝達され得ない。しかし、図５は、半持続的リソースについてＮＤＩ値(暗黙に)がユーザ機器により仮定されることを示している(括弧の中のＮＤＩフラグ）。これは、特にＮＡＣＫの受信の後に再送を組み合わせるときに必要とされる。変化していないＮＤＩフラグはＨＡＲＱバッファ内のデータを組み合わせ、異なるＮＤＩフラグは、新しいデータが受信されたためにＨＡＲＱバッファをフラッシュする。ダウンリンクにおける再送はＰＤＣＣＨで送られ、明示的ＮＤＩフラグも含む。
【００４０】
この実施態様では、半持続的リソースが解放されたときユーザ機器および基地局は好ましくは同じＮＤＩフラグ理解を持つ。そのようなプロセスは、特にＮ＿ＰＳの未使用持続的割当ての後に暗黙の解放が仮定されるならば、慎重に実行されるべきである。実際に送信されるパケットのためにだけＮＤＩフラグが変更されるとしても、同じく慎重な実行が必要である。
【００４１】
図６に示されている他の実施態様によれば、本発明の原理に従って新規データ指示子フラグの値は半持続的リソース割当てのために固定される。例えば、ＮＤＩフラグの値は、ＮＤＩ＝０またはＮＤＩ＝１のいずれかに固定される。この実施態様では、ユーザ機器は、半持続的に割当てられたリソースでの送信のためにどのＮＤＩフラグを仮定するべきかを知っている。半持続的割当てが受信されるかあるいは受信されたと仮定されるたびに、ソフトＨＡＲＱバッファなどのデータ・バッファから旧データが好ましくはフラッシュされる。換言すれば、ソフトＨＡＲＱバッファをフラッシュすることは、ＮＤＩフラグにではなくて、持続的割当てについての知識に基づく(新しい送信だけが持続的割当てを用いて送られる)。
【００４２】
ＮＤＩフラグはＰＤＣＣＨで送られるので、図６に示されているように、ＮＤＩフラグは動的ダウンリンク割当ておよび半持続的ダウンリンク割当ての両方と共に送信される。半持続的に割当てられたダウンリンク・リソースを含む、ＰＤＣＣＨデータを伴わない送信は半持続的割当てであり、それらのためにはＮＤＩフラグは伝達されない。しかし、図６は、ＮＤＩフラグがユーザ機器により暗黙に仮定されることを示す(括弧内のＮＤＩ）。これは再送を組み合わせるときに必要とされ、そのとき変化していないＮＤＩフラグは再送されたデータを組み合わせることを示し、異なるＮＤＩフラグはＨＡＲＱバッファをフラッシュするようにユーザ機器に命じる。
【００４３】
この第２実施態様では、同じＨＡＲＱプロセスのための動的割当ておよび半持続的割当ての組み合わせは好ましくはシステム設計において慎重に取り扱われる。一実施態様では、幾つかのＨＡＲＱプロセスが半持続的スケジューリングのために確保され、従ってそれらのプロセスは動的リソース・スケジューリングと共には使用されない。他の実施態様では、或る動的スケジューリングが許される(例えば、半持続的割当てを動的割当てでオーバーライドするとき）。その動的割当ては、もちろんＮＤＩ＝１を使用することができる。もし該動的割当てが半持続的に割当てられた送信の再送であれば、もちろんＮＤＩ＝０が使用されてもよい。従って、変化したＮＤＩに基づいて新規送信と再送とを識別する簡単な方法が使用されてもよい。
【００４４】
従って、ＮＤＩのためのこの第２実施態様のためのルールは、半持続的リソース割当てに関しては、例えば、ＮＤＩ＝０(ＰＤＣＣＨ無し)をセットすることであり、動的割当て(ＰＤＣＣＨを伴う)に関しては一般にＮＤＩフラグをトグルすることである。バッファのフラッシュは、新規送信のための動的割当てがＰＤＣＣＨで受信されたときに、変化したＮＤＩ値に基づいて通常作動することができる。ＰＤＣＣＨデータが送られないとき(半持続的割当てのためなど)、ユーザ機器は、それが新規送信であるということを知ってバッファをフラッシュすることができる。
【００４５】
次に図７では、本発明の原理に従って新規データ指示子フラグのために固定値が仮定されるアップリンク・データ送信の実施態様の図が示されている。アップリンク・データ送信のために、対応するアップリンク・リソース許可がＰＤＣＣＨでダウンリンクに送られる。トーク・スパートの始めに、基地局は持続的割当て(リソース許可)をＰＤＣＣＨで送る(７０１)。ユーザ機器は、関連するパラメータ(時間−周波数リソース、変調および符号化方式)を記憶し、該割当てを用いてアップリンク・パケットを送る(７０７)。次のアップリンク・パケット(７０８)は、記憶されている持続的割当てを用いて(ＮＤＩ＝０を仮定して)ＰＤＣＣＨで動的アップリンク割当てを受信すること無く送られてもよい。同じことが次のパケット(７０９)にも当てはまる。もしそのパケットが正しく受信されなければ、基地局は再送を要求する。再送は、初期送信のために使用されたのと同じＮＤＩ値を用いることによって示される。ここでＮＤＩ＝０が、全ての持続的に割当てられた送信のために仮定される。ユーザ機器はパケット(７１０)を再送し、基地局は該パケットを先行する送信と組み合わせる。後続する送信は、ＰＤＣＣＨでリソース許可をアップリンクに送ることによって動的に割当てられる（７０３）。ここで、ＮＤＩフラグは新規送信を示すために通常トグルされる(従って、今はＮＤＩ＝１である)。アップリンクパケット(７１１)は正しく受信されないので、基地局はＮＤＩ＝１(すなわち、初期／先行する送信のために使用されたのと同じ値)により示される再送を要求し、ユーザ機器は該パケットを再送する(７１２)。後続する送信は、ＰＤＣＣＨでリソース許可をアップリンクに送ることによって再び動的に割当てられ、ＮＤＩは新規送信を示すために再びトグルされる(ＮＤＩ＝０）。ＰＤＣＣＨで送られる次の割当て(７０６)は持続的割当てである。持続的割当ては常に新規送信であるから、新規送信を示すためにＮＤＩフラグは不要である。従って、ＮＤＩフラグは任意の値を取ることができる。ここで私たちはＮＤＩ＝０を仮定する。
【００４６】
ＰＤＣＣＨで送られる割当てが持続的割当てであること(および記憶されるべきであること)を示すために幾つかの既知の方法が導入されている。一つの方法は、一つのユーザ機器のために、動的割当てのための１つおよび持続的割当てのための１つ(記憶されるべき)の、２つのユーザ機器ＩＤ(例えば、セル無線ネットワーク仮識別子（ｃｅｌｌ  ｒａｄｉｏ  ｎｅｔｗｏｒｋ  ｔｅｍｐｏｒａｒｙ  ｉｄｅｎｔｉｆｉｅｒ("Ｃ−ＲＮＴＩ"））を割当てる。該ユーザ機器ＩＤ（Ｃ−ＲＮＴＩ）は、ＰＤＣＣＨ巡回冗長検査（ｃｙｃｌｉｃ  ｒｅｄｕｎｄａｎｃｙ  ｃｈｅｃｋ（"ＣＲＣ"））を該ユーザ機器ＩＤでマスクすることによってＰＤＣＣＨで送られる。ユーザ機器は、該ＰＤＣＣＨデータを受信すると、それを復号化し、巡回冗長検査を計算し、該巡回冗長検査を自分自身のユーザ機器ＩＤでマスクし、その後に該巡回冗長検査を受信した巡回冗長検査と比較する。それらが一致したならば、ユーザ機器は、その送信が自分宛のものであることを知る。一致しなければ、送信エラーが発生したかあるいは該送信は(異なるユーザ機器ＩＤを有する)他のユーザ機器に宛てて送られたかのいずれかである。従って、２つのユーザ機器ＩＤがユーザ機器のために割当てられたならば、該ユーザ機器はＰＤＣＣＨデータを復号化した後にそれを両方のユーザ機器ＩＤでマスクしようと試み、もしそれらのうちの１つが一致したならば、ユーザ機器はＰＤＣＣＨが自分に宛てられたものであるということを知り、その後、どのユーザ機器ＩＤが一致したのかに基づいてユーザ機器は該割当てが動的（ワンタイム)割当てであるのかそれとも持続的割当て（記憶されるべき）であるのかを知る。
【００４７】
もし持続的割当てを示すために他のユーザ機器ＩＤ（Ｃ−ＲＮＴＩ）が使用されるならば（それを"Ｃ−ＲＮＴＩ＿Ｐ"と呼ぶ）、２つの代替動作モードがある。第１に、Ｃ−ＲＮＴＩ＿Ｐは、記憶されるべきパラメータがＰＤＣＣＨで送られるデータ（トーク）バーストの始めにだけ使用され（すなわち、持続的初期送信だけのために）、あるいは第２に、Ｃ−ＲＮＴＩ＿Ｐは再送にも使用される。ＮＤＩフラグは、これら２つの場合に別様に扱われる。
【００４８】
Ｃ−ＲＮＴＩ＿Ｐがトーク・スパートの始めに持続的初期送信のためにだけ使用される場合が最初に考察される。この場合、Ｃ−ＲＮＴＩ＿Ｐは、この割当てが持続的割当てであることと、関連するパラメータが記憶されるべきであるということとを単に示す。その割当ては新規送信と共に送られるので、Ｃ−ＲＮＴＩ＿Ｐはそれが新規送信であることを既に示しているから、ＮＤＩフラグは該送信が新規送信であるのか再送であるのかを示すために必要とはされない。従って、ＮＤＩフラグは任意の値を取ることができる。ここでは、ＮＤＩフラグは固定値（例えば、ＮＤＩ＝０）を持つことができる。そのときフォールス・アラーム・レートが低減されてもよい。ここでフォールス・アラームは、他のいずれかのユーザに宛てられたＰＤＣＣＨデータあるいはユーザ機器により受信されて"正しく"（すなわち、ＣＲＣ＋ＵＥ・ＩＤマスキング一致）復号化された単なるランダム・ノイズに関連する。それは、ＮＤＩ＝１が受信された全ての場合が廃棄され得るからである。ここで、その後の送信（再送、またはＰＤＣＣＨを伴わない新規送信）のためのＮＤＩフラグの使用は、前の実施態様(例えば、ＮＤＩのためにＮＤＩ＝０などの固定値を使用する）に従うことができる。要約すると、初期持続的割当て（トーク／データ・スパートの始めに送られる）のためには、他のユーザ機器ＩＤ（Ｃ−ＲＮＴＩ＿Ｐ）（あるいは任意の他の既知方法または以前は知られていなかった方法）は、その割当てが新しい持続的割当てであること、および関連するパラメータが記憶されるべきことを示す。ＮＤＩフラグは、フォールス・アラーム・レートを低減するために、固定されてもよい。再送は通常のユーザ機器ＩＤと共に送られ、ＮＤＩフラグは、通常は、その送信が先行する送信と組み合わされるべきか否かを示すために使用される。それは、変化していないＮＤＩフラグは再送を示し（データを組み合わせる）、異なるＮＤＩフラグは新しい送信を示す（レシーバ内のバッファをフラッシュする、すなわち、データを組み合わせない）からである。新しい持続的送信は、ＰＤＣＣＨデータ無しで行われ、ＮＤＩ＝０を仮定する。
【００４９】
他の選択肢は、持続的に割当てられたリソースを用いる（ＰＤＣＣＨ無しで送られる）新規送信の再送のためにもＣ−ＲＮＴＩ＿Ｐを用いることである。この場合、Ｃ−ＲＮＴＩ＿Ｐは、このＰＤＣＣＨが持続的スケジューリングに関連することを示すけれども、Ｃ−ＲＮＴＩ＿Ｐは、単独では、該ＰＤＣＣＨが新規送信のためのものなのか（および関連するパラメータが記憶されるべきなのか）あるいは再送のためのものであるのかを示さない。ここで、ＮＤＩフラグが、上記のとは異なる仕方で、使用されてもよい。（ＰＤＣＣＨを伴わない）持続的割当てを使用する送信は常に新規送信であるから、新規送信がどこで始まるのかを示すためにＮＤＩフラグをトグルする必要はない。代わりに、ＮＤＩフラグは、Ｃ−ＲＮＴＩ＿Ｐを伴うＰＤＣＣＨ送信が持続的初期送信であるのか（ＮＤＩ＝０など、記憶されるべきパラメータを伴う）、あるいは再送であるのか（例えば、ＮＤＩ＝１）を示すために使用されてもよい。この場合、ＮＤＩフラグは、例えば再送指示子フラグとして認識されることもできる。
【００５０】
代わりに、持続的割当てを示すために他のユーザ機器ＩＤが使用される上記の場合には、第２ユーザ機器ＩＤの代わりに異なるデータ・スクランブリングが使用されてもよい。そのとき、ＰＤＣＣＨデータの情報部分は、巡回冗長検査を計算する前に既知のシーケンスとスクランブルされ、ユーザ機器は、始めにＰＤＣＣＨデータを復号化すると共に、巡回冗長検査をチェックする前に該情報部分を逆スクランブルする。従って、該ＰＤＣＣＨデータは、もし巡回冗長検査が逆スクランブル無しで一致すれば標準のＰＤＣＣＨであり、もし巡回冗長検査が逆スクランブルを用いて一致すれば該ＰＤＣＣＨデータは持続的割当てのためのものである。ＮＤＩ動作は上記のと同じである。
【００５１】
動的スケジューリングが半持続的スケジューリングの初期送信を上書きするときには、もし新規送信が送られればＮＤＩフラグの値は、通常、同じＨＡＲＱプロセスのための先行する値からトグルされる。もし半持続的初期送信の代わりに再送が送られるならば、ＮＤＩフラグの値は先行する送信のためのものと同じであり、従ってユーザ機器は該送信をＨＡＲＱバッファ内の情報と組み合わせるべきである。
【００５２】
ここで図８Ａおよび８Ｂに向かうと、本発明の原理に従って新規データ指示子フラグのために一つの値が仮定されるコンテンション・ベースおよびノンコンテンション・ベースのランダムアクセス・プロシージャのためのデータ送信の実施態様の図がそれぞれ示されている。ランダムアクセス・チャネル（ｒａｎｄｏｍ  ａｃｃｅｓｓ  ｃｈａｎｎｅｌ（"ＲＡＣＨ"））プロシージャにおいては（例えば、3GPP TS 36.300, "3rd Generation Partnership Project（第３世代パートナーシップ・プロジェクト）; Technical Specification Group Radio Access Network（技術仕様グループ無線アクセス・ネットワーク）; Evolved Universal Terrestrial Radio Access (E-UTRA) and Evolved Universal Terrestrial Radio Access Network (E-UTRAN)（エボルブド・ユニバーサル・テレストリアル・ラジオ・アクセス（Ｅ−ＵＴＲＡ）およびエボルブド・ユニバーサル・テレストリアル・ラジオ・アクセス・ネットワーク（Ｅ−ＵＴＲＡＮ））; Overall description（総合的記述）; Stage 2 (Release 8)（ステージ２（リリース８））," V8.4.0（２００８年３月）を参照されたい。これは参照により本明細書に組み込まれる）、図８Ａに示されているように、メッセージ８１０は、ユーザ機器（"ＵＥ"と称されている）から基地局（"ｅＮＢ"と称されている）にランダムアクセス・プリアンブルを提供する。メッセージ８２０は、（コンテンション・ベースのＲＡＣＨにおける）メッセージ８３０のアップリンク割当てのコンパクト・フォーマットを含み、さらに場合によってはノンコンテンション・ベースのＲＡＣＨにおけるメッセージ８２０の後の第１アップリンク割当てのためのコンパクト・フォーマットも含む。このコンパクト・フォーマットは、ＮＤＩフラグを持たなくても良くて、半持続的割当てについて上で記載されたように固定値であってよい。メッセージ８４０は、競合の解消をユーザ機器に提供する。
【００５３】
図８Ｂに示されているように、メッセージ８００は、基地局からユーザ機器にランダムアクセス・プリアンブル割当てを提供する。メッセージ８１０、８２０は、その他の点では上記のメッセージ８１０、８２０に類似する。従って、ランダムアクセス・チャネル・メッセージ８３０またはあり得る第１アップリンク送信の場合には、割当ては、物理ダウンリンク共有チャネル（ｐｈｙｓｉｃａｌ  ｄｏｗｎｌｉｎｋ  ｓｈａｒｅｄ  ｃｈａｎｎｅｌ（ＰＤＳＣＨ））で送られるＲＡＣＨメッセージ８２０において行なわれることができて、アップリンク共有チャネル（ｕｐｌｉｎｋ  ｓｈａｒｅｄ  ｃｈａｎｎｅｌ（"ＰＵＳＣＨ"））での送信に対するアップリンク割当てをコンパクトな仕方で提供する。これは、この割当てが標準的ＰＤＣＣＨ無しで行われることおよび必ずしもＮＤＩフラグを含むとは限らないことを意味する。再び、ＮＤＩフラグの固定値が、ＲＡＣＨメッセージ８２０の中で行われる割当てのためにも、あるいは、１つのユーザ機器のために幾つかの同時の割当てが存在しないことが保証され得るならばＰＤＣＣＨ無しの割当てのためにも、使用されてもよい。ＲＡＣＨメッセージ８２９には１つの割当てがあるだけであるということが保証され得るから、固定されたＮＤＩフラグが使用されてよい。
【００５４】
第３の実施態様では、ＮＤＩフラグ値は、半持続的リソース割当てのためにシステム・フレーム・ナンバー（"ＳＦＮ"）または送信時間間隔／サブフレーム・ナンバーから導出される。これには、ユーザ機器および基地局の両方が使用されるべきＮＤＩフラグの値を知るという利点があり、そのためにエラーの場合が無くなる。留保されているＨＡＲＱプロセスの数および関連する周期性は無線リソース制御シグナル伝達を介して各ユーザ機器に別々に伝達される。これらのルールを実行するための幾つかの可能性および幾つかの例が以下で列挙される。説明される各々の場合について、ＮＤＩフラグ値の導出はＨＡＲＱプロセスに基づく。
【００５５】
ダウンリンクのためには、ＮＤＩフラグ値は、次のように各ＨＡＲＱプロセスのために導出される。ＮＤＩ＝［ｆｌｏｏｒ（ｃｕｒｒｅｎｔ  ＴＴＩ／（ＰＳ＿ｐｅｒｉｏｄ*Ｎｕｍｂｅｒ＿ｏｆ＿ｓｅｍｉ−ｐｅｒｓｉｓｔｅｎｔ＿ＨＡＲＱ））］ｍｏｄ２であり、ここで該ｃｕｒｒｅｎｔ＿ＴＴＩ＝１０*ＳＦＮ＋ｓｕｂｆｒａｍｅ＃であり、ｓｕｂｆｒａｍｅ＃＝０，１，２，...，９である。該ＰＳ＿ｐｅｒｉｏｄは、無線リソース制御を介して伝達される半持続的スケジューリングの周期性を指す。ＴＴＩは"送信時間間隔（Ｔｒａｎｓｍｉｓｓｉｏｎ  Ｔｉｍｅ  Ｉｎｔｅｒｖａｌ）"を指し、それは通例１ｍｓである。演算"ｍｏｄ  ２"は、ＮＤＩフラグの値を０または１に制限する。
【００５６】
アップリンクについては、ＨＡＲＱのために使用されるＨＡＲＱプロセスの数は、無線リソース制御を介して伝達されなくて、以下で＃ＨＡＲＱ  ｐｒｏｃｅｓｓ−ｓと称される同期ＨＡＲＱ期間内のＨＡＲＱプロセスの数（例えば、８個のＨＡＲＱプロセス）から導出される。ＮＤＩフラグ値は、次のように半持続的割当てのために使用される各ＨＡＲＱプロセスのために導出される。ＮＤＩ＝［ｆｌｏｏｒ（ｃｕｒｒｅｎｔ  ＴＴＩ／（ＰＳ＿ｐｅｒｉｏｄ*Ｎｕｍｂｅｒ＿ｏｆ＿ｓｅｍｉ−ｐｅｒｓｉｓｔｅｎｔ＿ＨＡＲＱ−ｓ））］ｍｏｄ２であり、ここで該ｃｕｒｒｅｎｔ＿ＴＴＩ＝１０*ＳＦＮ＋ｓｕｂｆｒａｍｅ＃であり、ｓｕｂｆｒａｍｅ＃＝０，１，２，...，９である。ＰＳ＿ｐｒｒｉｏｄは、無線リソース制御を介して伝達される半持続的スケジューリングの周期性である。Ｎｕｍｂｅｒ＿ｏｆ＿ｓｅｍｉ−ｐｅｒｓｉｓｔｅｎｔ＿ＨＡＲＱ−ｓ＝ｍｉｎ｛Ｎ｝であり、ここでＮ*ＰＳ＿ｐｅｒｉｏｄ／＃ＨＡＲＱ  ｐｒｏｃｅｓｓ−ｓ＝整数である。第３実施態様の原理は、ＮＤＩ値を例えばゼロに固定するのではなくて上記のようにＮＤＩフラグがシステム・フレーム・ナンバーなどから導出される図６に従って表されることもできる。
【００５７】
以上のように、半持続的リソース割当てに関して基地局およびユーザ機器のために新規データ指示子（"ＮＤＩ"）フラグの値を伝達／決定するための装置、システム、コンピュータ・プログラムおよび関連する方法を示した。一実施態様では、基地局のトランシーバはＮＤＩフラグの初期値を物理ダウンリンク制御チャネル（"ＰＤＣＣＨ"）で提供する。ＮＤＩフラグは、ＰＤＣＣＨでのさらなるリソース・シグナル伝達無しで、その後のデータ送信の間、既知のシーケンスに従うことができる。例えば、持続的に割当てられたリソースで実際には何も送られないとしても、ＮＤＩフラグは、持続的におよび動的に割当てられたリソースについて後続するデータ送信のために基地局のプロセッサによってトグルされると考えられる。他の或る実施態様では、ＮＤＩフラグは、持続的な割当てられたリソースについて後続するデータ送信のための固定値であると考えられる。基地局のトランシーバによる再送は、ＰＤＣＣＨデータと共に送られ、ＮＤＩフラグのための明示の値を含む。或る実施態様では、ＮＤＩフラグはＰＤＣＣＨでダウンリンク制御情報において伝達される。さらなる実施態様では、時間および周波数リソース、および変調および符号化方式（"ＭＣＳ"）がＰＤＣＣＨで伝達される。さらなる実施態様では、否定応答信号の送信後、再送データはユーザ機器／基地局のプロセッサによって先行送信データと組み合わされる。さらなる実施態様では、確認応答信号の送信後、ユーザ機器／基地局のメモリ内のソフトＨＡＲＱバッファなどのデータ・バッファから旧データがフラッシュされる。さらなる実施態様では、持続的に割当てられたリソースで新データを受信する前に、あるいは受信したときに、該ソフトＨＡＲＱバッファから旧データがフラッシュされる。さらなる実施態様では、基地局のプロセッサは、動的リソース割当てに伴うＮＤＩフラグを、ＰＤＣＣＨを用いて半持続的リソース割当てのそれの反対にトグルする。或る実施態様では、ＮＤＩフラグは、ユーザ機器のプロセッサにおけるハイブリッド自動再送要求プロセスのソフト組み合わせを制御する。
【００５８】
他の或る実施態様では、ダウンリンクのためのＮＤＩフラグの値は、システム・フレーム・ナンバー、サブフレーム・ナンバー、半持続的スケジューリングの周期性、および、無線リソース制御を介して伝達される持続的スケジューリングのために確保されているＨＡＲＱプロセスの数を用いてユーザ機器／基地局のプロセッサにおいて導出される。他の或る実施態様では、アップリンクのためのＮＤＩフラグの値は、同期ＨＡＲＱ周期内のＨＡＲＱプロセスの数、サブフレーム・ナンバー、および、無線リソース制御を介して伝達される半持続的スケジューリングの周期性を用いてユーザ機器／基地局のプロセッサにおいて導出される。
【００５９】
他の或る実施態様では、ＮＤＩ値は、全ての持続的新規送信（ＰＤＣＣＨ無しで送られる）のために固定値であると考えられる。さらなる実施態様では、初期送信に使用されたのと同じＮＤＩ値が再送のために使用される。さらなる実施態様では、動的に割当てられた新規送信のためのＮＤＩ値は、基地局／ユーザ機器のプロセッサによって、関連するＨＡＲＱプロセスにおける先行のＮＤＩ値からトグルされる。送信は、半持続的あるいは動的であってもよい。
【００６０】
本発明およびその利点が詳しく記載されたけれども、ここで本発明の精神および範囲から逸脱せずに様々な変更、置換および改変をなし得るということも理解されるべきである。例えば、本明細書に記載された無線通信システムにおいて半持続的に割当てられた送信リソースのためにＮＤＩフラグのための値を決定するために、上で論じられたプロセスの多くは種々の方法論で実行されることができると共に他のプロセスあるいはそれらの組み合わせにより取って代わられてもよい。
【００６１】
上で記載されたように、代表的実施態様は、方法と、該方法のステップを実行するための機能を提供する種々のモジュールから成る対応する装置との両方を提供する。該モジュールは、ハードウェア（特定用途向け集積回路などの集積回路を含む）として実現されることができ、あるいはコンピュータ・プロセッサにより実行されるソフトウェアまたはファームウェアとして実現されることができる。特に、ファームウェアまたはソフトウェアの場合、代表的実施態様は、コンピュータ・プロセッサにより実行されるコンピュータ・プログラム・コード（すなわち、ソフトウェアまたはファームウェア）をその上で具体化するコンピュータ可読メモリ構造を含むコンピュータ・プログラム製品として提供されてもよい。
【００６２】
さらに、本出願の範囲は、本明細書に記載されているプロセス、機械、製品、事物の合成物、手段、方法およびステップの特定の実施態様に限定されるように意図されてはいない。当業者が本発明の開示から容易に理解できるように、本明細書に記載された対応する実施態様と実質的に同じ機能を実行するかあるいは実質的に同じ結果を成し遂げる、現存するかあるいは後に開発されるべきプロセス、機械、製品、事物の合成物、手段、方法、またはステップは、本発明に従って利用されてもよい。
【図１】
2011517886.tif 000003
【図２】
2011517886.tif 000004
【図３】
2011517886.tif 000005
【図４Ａ】
2011517886.tif 000006
【図４Ｂ】
2011517886.tif 000007
【図５】
2011517886.tif 000008
【図６】
2011517886.tif 000009
【図７】
2011517886.tif 000010
【図８Ａ】
2011517886.tif 000011
【図８Ｂ】
2011517886.tif 000012
【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
半持続的スケジューリングを示すセル無線ネットワーク仮識別子を受信する手段と、
前記半持続的スケジューリングに従う新規データ指示子フラグを伴うデータの受信を以下の一つとして扱う、すなわち：
もし前記新規データ指示子フラグの値が第１所定値に等しければ持続的初期送信として扱い、
もし前記新規データ指示子フラグの前記値が第２所定値に等しければ半持続的スケジューリング・データの再送として扱う
手段と、
前記新規データ指示子フラグが前記第１所定値に等しいときに前記半持続的スケジューリングと関連付けられたパラメータを記憶する手段と、
を含む装置。
【請求項２】
前記第１所定値は０であって前記第２所定値は１である、請求項１に記載の装置。
【請求項３】
非半持続的スケジューリングを示す他のセル無線ネットワーク仮識別子を受信する手段と、
前記非半持続的スケジューリングに従う他の新規データ指示子フラグを伴う他の受信データを以下の一つとして扱う、すなわち：
もし前記他の新規データ指示子フラグの値が以前に受信された新規データ指示子フラグの値と異なれば新データとして扱い、
もし前記他の新規データ指示子フラグの前記値が前記以前に受信された新規データ指示子フラグの前記値に等しければ再送されたデータとして扱う
手段と、
をさらに含む、請求項１又は２に記載の装置。
【請求項４】
前記装置は、データが格納されているデータ・バッファをさらに含んでおり、
もし前記新規データ指示子フラグの前記値が前記第１所定値に等しければ前記データ・バッファに格納されている前記データをフラッシュし、
もし前記新規データ指示子フラグの前記値が前記第２所定値に等しければ前記データ・バッファに格納されている前記データを半持続的スケジューリング・データの前記再送と組み合わせる
ように前記データ・バッファに命令する手段
をさらに含む、請求項１ないし３のうちのいずれか一項に記載の装置。
【請求項５】
前記新規データ指示子フラグは物理ダウンリンク制御チャネルにおいて提供される、請求項１ないし４のうちのいずれか一項に記載の装置。
【請求項６】
プロセッサにより実行されることにより、該プロセッサに、
半持続的スケジューリングを示すセル無線ネットワーク仮識別子を受信させる命令と、
前記半持続的スケジューリングに従う新規データ指示子フラグを伴うデータの受信を以下の一つとして扱わせる、すなわち：
もし前記新規データ指示子フラグの値が第１所定値に等しければ持続的初期送信として扱わせ、
もし前記新規データ指示子フラグの前記値が第２所定値に等しければ半持続的スケジューリング・データの再送として扱わせる
命令と、
前記新規データ指示子フラグが前記第１所定値に等しいときに前記半持続的スケジューリングと関連付けられたパラメータを記憶させる命令と、
を含むコンピュータ・プログラム。
【請求項７】
非半持続的スケジューリングを示す他のセル無線ネットワーク仮識別子を受信させる命令と、
前記非半持続的スケジューリングに従う他の新規データ指示子フラグを伴う他の受信データを以下の一つとして扱わる、すなわち：
もし前記他の新規データ指示子フラグの値が以前に受信された新規データ指示子フラグの値と異なれば新データとして扱わせ、
もし前記他の新規データ指示子フラグの前記値が前記以前に受信された新規データ指示子フラグの前記値に等しければ再送されたデータとして扱わせる
命令と、
をさらに含む請求項６に記載のコンピュータ・プログラム。
【請求項８】
半持続的スケジューリングを示すセル無線ネットワーク仮識別子を受信することと、
前記半持続的スケジューリングに従う新規データ指示子フラグを伴うデータの受信を以下の一つとして扱う、すなわち：
もし前記新規データ指示子フラグの値が第１所定値に等しければ持続的初期送信として扱い、
もし前記新規データ指示子フラグの前記値が第２所定値に等しければ半持続的スケジューリング・データの再送として扱う
ことと、
前記新規データ指示子フラグが前記第１所定値に等しいときに前記半持続的スケジューリングに関連付けられたパラメータを記憶させることと、
を含む方法。
【請求項９】
非半持続的スケジューリングを示す他のセル無線ネットワーク仮識別子を受信することと、
前記非半持続的スケジューリングに従う他の新規データ指示子フラグを伴う他の受信データを以下の一つとして扱う、すなわち：
もし前記他の新規データ指示子フラグの値が以前に受信された新規データ指示子フラグの値と異なれば新データとして扱い、
もし前記他の新規データ指示子フラグの前記値が前記以前に受信された新規データ指示子フラグの前記値に等しければ再送されたデータとして扱う
ことと、
をさらに含む、請求項８に記載の方法。
【請求項１０】
半持続的スケジューリングを示すセル無線ネットワーク仮識別子を提供する手段と、
前記半持続的スケジューリングに従うデータの持続的初期送信のための第１所定値、および
前記半持続的スケジューリングに従う半持続的スケジューリング・データの再送のための第２所定値、
のうちの１つを有する新規データ指示子フラグを導出する手段と、
前記新規データ指示子フラグが前記第１所定値に等しいときに前記半持続的スケジューリングに関連付けられたパラメータを提供する手段と、
を含む装置。
【請求項１１】
非半持続的スケジューリングを示す他のセル無線ネットワーク仮識別子を提供する手段と、
前記非半持続的スケジューリングに従う新データのための値であって、以前に送信された新規データ指示子フラグの値とは異なる値、および
前記非半持続的スケジューリングに従う再送データのための値であって、前記以前に送信された新規データ指示子フラグの前記値に等しい値、
のうちの１つを有する他の新規データ指示子フラグを導出する手段と、
をさらに含む、請求項１０に記載の装置。
【請求項１２】
前記半持続的スケジューリングに関連付けられたパラメータは、
時間および周波数割当てと
ユーザ機器に送信されるデータのための変調および符号化方式と、
のうちの少なくとも１つを含む、請求項１０又は１１に記載の装置。
【請求項１３】
プロセッサにより実行されることにより、該プロセッサに、
半持続的スケジューリングを示すセル無線ネットワーク仮識別子を提供させる命令と、
前記半持続的スケジューリングに従うデータの持続的初期送信のための第１所定値、および
前記半持続的スケジューリングに従う半持続的スケジューリング・データの再送のための第２所定値、
のうちの１つを有する新規データ指示子フラグを導出させる命令と、
前記新規データ指示子フラグが前記第１所定値に等しいときに前記半持続的スケジューリングに関連付けられたパラメータを提供させる命令と、
を含むコンピュータ・プログラム。
【請求項１４】
半持続的スケジューリングを示すセル無線ネットワーク仮識別子を提供することと、
前記半持続的スケジューリングに従うデータの持続的初期送信のための第１所定値、および
前記半持続的スケジューリングに従う半持続的スケジューリング・データの再送のための第２所定値、
のうちの１つを有する新規データ指示子フラグを導出することと、
前記新規データ指示子フラグが前記第１所定値に等しいときに前記半持続的スケジューリングに関連付けられたパラメータを提供することと、
を含む方法。
【請求項１５】
ランダムアクセス・チャネル・プロシージャに従うリソース割当てを示すランダムアクセス応答を受信する手段と、
新規データ指示子を、前記リソース割当てに対応するハイブリッド自動反復要求プロセスのための所定値にセットする手段と、
を含み、
ここで、前記新規データ指示子の前記所定値は、前記ハイブリッド自動反復要求プロセスのための後続する送信に対するアップリンク許可で受信される新規データ指示子フラグのためのリファレンスとして使用され、
前記ハイブリッド自動反復要求プロセスのための新規送信を開始する手段と、
を含む装置。
【請求項１６】
前記所定値は０である、請求項１５に記載の装置。
【請求項１７】
ランダムアクセス・チャネル・プロシージャに従うリソース割当てを示すランダムアクセス応答を受信することと、
新規データ指示子を、前記リソース割当てに対応するハイブリッド自動反復要求プロセスのための所定値にセットすることと、
を含み、
ここで、前記新規データ指示子の前記所定値は、前記ハイブリッド自動反復要求プロセスのための後続する送信に対するアップリンク許可で受信される新規データ指示子フラグのためのリファレンスとして使用され、
前記ハイブリッド自動反復要求プロセスのための新規送信を開始することと、
を含む方法。
【請求項１８】
ランダムアクセス・チャネル・プロシージャに従うリソース割当てを示すランダムアクセス応答を提供する手段と、
前記リソース割当てに従うハイブリッド自動反復要求プロセスのための新規送信を受信し、新規データ指示子のために所定値を使用する手段と、
を含み、
ここで、前記新規データ指示子の前記所定値は、前記ハイブリッド自動反復要求プロセスのための後続する送信に対するアップリンク許可で提供される新規データ指示子フラグのためのリファレンスとして使用される、
装置。
【国際調査報告】
2011517886.tif 000013
2011517886.tif 000014
2011517886.tif 000015
2011517886.tif 000016